(57)【特許請求の範囲】
【請求項１】
直角方向に折曲する円弧状に彎曲させてあって、ビスなどの定着手段Ｅで廊下や階段の壁に取り付けるための取付座2bを有するブラケット本体２部分の先側である前記取付座2bと反対側の位置に、手すりＢの端部を保持するための受体１部分を前記ブラケット本体２部分に対して４５度で交差するように一体的ならしめたことを特徴とする手すり取付用エンド・ブラケット。
【請求項２】
直角方向に折曲する円弧状に彎曲させてあるブラケット本体２部分に対し、受体１部分はその直径方向の対向外周面のうち片方1cのみがブラケット本体２部分に対して４５度で交差する円弧状に彎曲しており、他方の対向外周面1dには彎曲面を備えていないことを特徴とする請求項１記載の手すり取付用エンド・ブラケット。
【請求項３】
受体１部分もしくはブラケット本体２部分に形成されている孔であって、受体１部分で保持されている手すりＢの端部にねじ込むネジ挿通用の孔の方向は、この孔から手すりＢにねじ込んだネジが手すりＢの長手方向を向く方向とすることを特徴とする請求項１又は２記載の手すり取付用エンド・ブラケット。
【請求項４】
直角方向に折曲する円弧状に彎曲させてあって、ビスなどの定着手段Ｅで廊下や階段の壁に取り付けるための取付座2bを有するブラケット本体２と、手すりＢの端部を保持するためのものであって、ブラケット本体２に対して４５度で交差するように折曲した受体１とからなり、前記受体１を前記ブラケット本体２に対して回動自在に嵌合させたことを特徴とする手すり取付用エンド・ブラケット。
【請求項５】
直角方向に折曲する円弧状に彎曲させてあって、ビスなどの定着手段Ｅで廊下や階段の壁に取り付けるための取付座2bを有するブラケット本体２と、手すりＢの端部を保持するためのものであって、ブラケット本体２に対して４５度で交差するように折曲した受体１とからなり、前記ブラケット本体２への受体１の取付位置を定めるための凹凸嵌合手段を、受体１とブラケット本体２とに形成したことを特徴とする手すり取付用エンド・ブラケット。
【請求項６】
凹凸嵌合手段を受体１とブラケット本体２の直径方向の対称位置に設けることを特徴とする請求項５記載の手すり取付用エンド・ブラケット。
【請求項７】
直角方向に折曲する円弧状に彎曲させてあるブラケット本体２に対し、受体１はその直径方向の対向外周面のうち片方1cのみがブラケット本体２に対して４５度で交差する円弧状に彎曲しており、他方の対向外周面1dには彎曲面を備えていないことを特徴とする請求項４又は５記載の手すり取付用エンド・ブラケット。
【請求項８】
受体１もしくはブラケット本体２に形成されている孔であって、受体１で保持されている手すりＢの端部にねじ込むネジ挿通用の孔の方向は、この孔から手すりＢにねじ込んだネジが手すりＢの長手方向を向く方向とすることを特徴とする請求項４〜７のいずれかに記載の手すり取付用エンド・ブラケット。
【発明の詳細な説明】
【０００１】
【発明の属する技術分野】
本発明は、廊下や階段の壁に手すりを取り付けるに当ってその端部を保持するためのエンド・ブラケット、さらに詳しくは、手すりの端部を保持するための受体部分を、ビスなどの定着手段で廊下や階段の壁に取り付けるための取付座を有するブラケット本体部分に一体的ならしめた一体型のもの、さらには、手すりの端部を保持するための受体と、ビスなどの定着手段で廊下や階段の壁に取り付けるための取付座を有するブラケット本体の２部材からなるものに関する。
【０００２】
【従来の技術】
従来、廊下や階段の壁Ｃに手すりＢを取り付けるに当って、その端部を保持するために、例えば、図１５においてA'で示すような直角方向に折曲する円弧状に彎曲させたエンド・ブラケットを用いている。
【０００３】
【発明が解決しようとする課題】
このエンド・ブラケットA'をビスなどの定着手段で固定できる壁であれば、手すりの取付には何の問題もないが、例えば定着手段が用をなさない石膏ボードから壁がなっている場合には、その裏側に下地材や柱がないとエンド・ブラケットA'を固定できない。また、この場合の定着手段は、石膏ボードの裏側にある下地材や柱に達するような長いものとならざるを得ない。
【０００４】
一方、石膏ボードＦの裏側に下地材がない場合においては、エンド・ブラケットA'を固定できるようにするために、通常、図１６及び図１７においてＤで示す手すりプレートを用い、例えば、石膏ボードＦの裏側に位置する柱Ｇに達するようにビスなどの定着手段Ｅをねじ込んで、石膏ボードＦに手すりプレートＤを取り付けている。
この手すりプレートＤを用いれば、図１７に示すように、ビスなどの定着手段Ｅで手すり支持用のブラケットＨを固定することができ、このブラケットＨで図１４に示すように手すりＢの途中を支えることができる。
【０００５】
そして、この手すりＢの両端をエンド・ブラケットA'で覆い隠して手すりプレートＤに固定しようとする。ところが、手すりプレートＤに手すり支持用のブラケットＨを取り付け、このブラケットＨで手すりＢの途中を支えている場合には、図１５に示す従来のエンド・ブラケットA'を使えない。
なぜならば、直角方向に折曲する円弧状に彎曲させた従来のエンド・ブラケットA'では、図１５においてa'で示す取付座が、図１６に示すように、手すりＢの延長線上に来るため、ビスなどの定着手段をねじ込む位置が石膏ボードからなる壁Ｃとなって全く用をなさないからである。換言すると、前記取付座a'が手すりプレートＤと同じ高さのところに来ないため、それに取り付けることができない。
【０００６】
本発明は、このような場合においても、手すりプレートにビスなどの定着手段をねじ込むことができるように、換言すると、前記取付座が手すりプレートと同じ高さのところに来てそれに取り付けることができるように、工夫したものである。もっとも、手すりプレートを用いない場合であって、ビスなどの定着手段で固定できる壁に手すりを直接取り付ける場合にも用いることができることは言うまでもない。
【０００７】
【課題を解決するための手段】
第一の発明である手すり取付用エンド・ブラケットは、直角方向に折曲する円弧状に彎曲させてあって、ビスなどの定着手段Ｅで廊下や階段の壁に取り付けるための取付座2bを有するブラケット本体２部分の先側である前記取付座2bと反対側の位置に、手すりＢの端部を保持するための受体１部分を前記ブラケット本体２部分に対して４５度で交差するように一体的ならしめたことを特徴とするものである。
【０００８】
この場合においては、図３に示すように、受体１部分は直角方向に折曲する円弧状に彎曲させてあるブラケット本体２部分に対して４５度首を振った状態にある。それにより、図１３におけるθ（取付位置を通る水平線に対するブラケット本体２部分の傾斜角）とＴ（ブラケット本体２部分の取付位置を通る水平線から手すりＢの設置点までの距離、すなわち、手すりＢの設置高さ）並びに図１４におけるＴ'（取付面からの距離、すなわち、平行度）が定まるから、ブラケット本体２部分の取付座2bを前記手すりプレートＤと対面させることができ、その取付座2bにビスなどの定着手段Ｅを差し込んで手すりプレートＤに定着できる。
【０００９】
第一の発明の場合において、直角方向に折曲する円弧状に彎曲させてあるブラケット本体２部分に対し、受体１部分はその直径方向の対向外周面のうち片方1cのみがブラケット本体２部分に対して４５度で交差する円弧状に彎曲しており、他方の対向外周面1dには彎曲面を備えていないものとすることが好ましい。
この場合においては、前記ブラケット本体２部分に対する受体１部分の折曲角度を４５度に設定することによって、図１３に示すように、手すりプレートＤに取り付けた手すり支持用のブラケットＨと同一高さの水平延長線上にブラケット本体２部分の取付座2bを位置させることができる。従って、手すりＢを下から支える形で手すりプレートＤに定着できる。
【００１０】
また、第一の発明の場合において、受体１部分もしくはブラケット本体２部分に形成されている孔であって、受体１部分で保持されている手すりＢの端部にねじ込むネジ挿通用の孔の方向は、この孔から手すりＢにねじ込んだネジが手すりＢの長手方向を向く方向とすることが望ましい。
このようにすると、ネジ挿通用の孔から手すりＢにねじ込んだネジが、例えば図２あるいは図９に示すように、手すりＢの長手方向を向く。従って、このネジで手すりＢの端部をより強固に固定できる。
【００１１】
第一の発明では、手すりＢの端部を保持するための受体１部分と、ビスなどの定着手段Ｅで廊下や階段の壁に取り付けるための取付座2bを有するブラケット本体２部分とが一体的である。これに対して、第二、第三の発明では、前記二つの部分が一体的ではなく、第二の発明では、受体１がブラケット本体２に対して自由に首を振ることができ、また、第三の発明では、受体１がブラケット本体２に対して所定角度首を振った状態に取り付けられている。
【００１２】
すなわち、第二の発明である手すり取付用エンド・ブラケットは、直角方向に折曲する円弧状に彎曲させてあって、ビスなどの定着手段Ｅで廊下や階段の壁に取り付けるための取付座2bを有するブラケット本体２と、手すりＢの端部を保持するためのものであって、ブラケット本体２に対して４５度で交差するように折曲した受体１とからなり、前記受体１を前記ブラケット本体２に対して回動自在に嵌合させたことを特徴とするものである。
【００１３】
この場合においては、ブラケット本体２に対して４５度で交差するように折曲した受体１は直角方向に折曲する円弧状に彎曲させてあるブラケット本体２に対して回動自在であるから、手すりＢの端部を嵌入してこれを保持している受体１をブラケット本体２に嵌合させたまま自由に首を振ることができる。従って、手すりＢの端部を保持している受体１を回動させて受体１とブラケット本体２との嵌合位置を調整することによって、図１３におけるθ（取付位置を通る水平線に対するブラケット本体２の傾斜角）とＴ（ブラケット本体２の取付位置を通る水平線から手すりＢの設置点までの距離、すなわち、手すりＢの設置高さ）並びに図１４におけるＴ'（取付面からの距離、すなわち、平行度）が定まるから、ブラケット本体２の取付座2bを前記手すりプレートＤと対面させることができ、その取付座2bにビスなどの定着手段Ｅを差し込んで手すりプレートＤに定着できる。
【００１４】
また、第二の発明である手すり取付用エンド・ブラケットは、手すりＢの端部を嵌入してこれを保持するためのものであって、ブラケット本体に対して４５度で交差するように折曲した受体１が直角方向に折曲する円弧状に彎曲させてあるブラケット本体２に対して回動自在であるから、手すりＢの端部を嵌着してこれを保持する受体１を上下逆にしないで左側用のものと右側用のものとして、また、それに応じてそれを嵌着させ得るブラケット本体２も上下逆にしないで左側用のものと右側用のものとしてそれぞれを用いることができる。従って、左側用の受体１に対しては、そのように位置させた受体１を左側用として位置させたブラケット本体２に、また、右側用の受体１に対しては、そのように位置させた受体１を右側用として位置させたブラケット本体２にそれぞれ嵌合させ、上述したように手すりプレートＤもしくは壁に直接定着できる。
【００１５】
さらに、第三の発明である手すり取付用エンド・ブラケットは、直角方向に折曲する円弧状に彎曲させてあって、ビスなどの定着手段Ｅで廊下や階段の壁に取り付けるための取付座2bを有するブラケット本体２と、手すりＢの端部を保持するためのものであって、ブラケット本体２に対して４５度で交差するように折曲した受体１とからなり、前記ブラケット本体２への受体１の取付位置を定めるための凹凸嵌合手段を、受体１とブラケット２とに形成したことを特徴とするものである。
【００１６】
この場合においては、前記凹凸嵌合手段により、ブラケット本体２に対して４５度で交差するように折曲した受体１が直角方向に折曲する円弧状に彎曲させてあるブラケット本体２に所定角度首を振った状態で取り付けられ、図１３におけるθ（取付位置を通る水平線に対するブラケット本体２の傾斜角）とＴ（ブラケット本体２の取付位置を通る水平線から手すりＢの設置点までの距離、すなわち、手すりＢの設置高さ）並びに図１４におけるＴ'（取付面からの距離、すなわち、平行度）が定まる。従って、ブラケット本体２の取付座2bを前記手すりプレートＤと対面させることができ、その取付座2bにビスなどの定着手段Ｅを差し込んで手すりプレートＤに定着できる。特に、前記凹凸嵌合手段により前記ブラケット本体２への受体１の取付位置が予め定まるから、極めて施工しやすくなる。
【００１７】
図面には示さないが、手すりプレートＤを用いない場合であって、ビスなどの定着手段で固定できる壁に手すりを直接取り付ける場合においても、前記ブラケット本体２に対する受体１の折曲角度を４５度に設定し、あるいは、受体１とブラケット本体２との嵌合位置を調整し、あるいは、ブラケット本体２に対する受体１の首振り角度を調整することによって、ブラケット本体２の取付座2bをその壁に対面させることができ、その取付座2bにビスなどの定着手段Ｅを差し込んでその壁に直接定着することもできる。
【００１８】
第三の発明の場合において、前記凹凸嵌合手段を受体１とブラケット本体２の直径方向の対称位置に設けることが望ましい。
この場合においては、例えば、図８に示す受体１をブラケット本体２に対して１８０度回動させると、受体１とブラケット本体２との接合面の対称位置にある凹凸嵌合手段と相手側の凹凸嵌合手段とを嵌合させることができるから、ブラケット本体２への受体１の取付状態が受体１を回動させない状態でブラケット本体２に取り付けた場合とは左右対称的となる。従って、一つのものを左側用としても、右側用としても用いることができ、いわゆる、左右兼用することができる。
【００１９】
換言すると、手すりＢの端部を嵌着してこれを保持する受体１を上下逆にしないで左側用のものと右側用のものとして、また、それに応じてそれを取り付け得るブラケット本体２も上下逆にしないで左側用のものと右側用のものとしてそれぞれを用いることができる。従って、左側用の受体１に対しては、そのように位置させた受体１を左側用として位置させたブラケット本体２に、また、右側用の受体１に対しては、そのように位置させた受体１を右側用として位置させたブラケット本体２にそれぞれ取り付け、上述したように手すりプレートＤもしくは壁に直接定着できる。
【００２０】
第二、第三の発明の場合において、直角方向に折曲する円弧状に彎曲させてあるブラケット本体２に対し、受体１はその直径方向の対向外周面のうち片方1cのみがブラケット本体２に対して４５度で交差する円弧状に彎曲しており、他方の対向外周面1dには彎曲面を備えていないものとすることが好ましい。
この場合においては、受体１とブラケット本体２との嵌合位置を調整し、あるいは、ブラケット本体２に対する受体１の首振り角度を調整することによって、図１３に示すように、手すりプレートＤに取り付けた手すり支持用のブラケットＨと同一高さの水平延長線上にブラケット本体２の取付座2bを位置させることができる。従って、手すりＢを下から支える形で手すりプレートＤに定着できる。
【００２１】
受体１もしくはブラケット本体２に形成されている孔であって、受体１で保持されている手すりＢの端部にねじ込むネジ挿通用の孔の方向は、この孔から手すりＢにねじ込んだネジが手すりＢの長手方向を向く方向とすることが望ましい。
このようにすると、ネジ挿通用の孔から手すりＢにねじ込んだネジが、例えば図２あるいは図９に示すように、手すりＢの長手方向を向く。従って、このネジで手すりＢの端部をより強固に固定できる。
【００２２】
【発明の実施の形態】
本発明の好ましい実施の形態を、図１〜図１４に基いて詳細に説明する。
図１に、第一の発明による手すり取付用エンド・ブラケットの一例を分解して示す。図１から分かるように、このエンド・ブラケットＡは、直角方向に折曲する円弧状に彎曲させてあって、ビスなどの定着手段Ｅで廊下や階段の壁に取り付けるための取付座2bを有するブラケット本体２部分の先側である前記取付座2bと反対側の位置に、手すりＢの端部を保持するための受体１部分を前記ブラケット本体２部分に対して４５度で交差するように一体的ならしめたものである。いわゆる一体型のものである。
【００２３】
また、図４に、第二の発明による手すり取付用エンド・ブラケットの一例を分解して示す。図４から分かるように、このエンド・ブラケットＡは、直角方向に折曲する円弧状に彎曲させてあって、ビスなどの定着手段Ｅで廊下や階段の壁に取り付けるための取付座2aを有するブラケット本体２と、手すりＢの端部を保持するためのものであって、ブラケット本体２に対して４５度で交差するように折曲した受体１とからなっている。そして、前記受体１を前記ブラケット本体２の軸芯に対して回動自在に嵌合させたものである。いわゆる首振り型である。
【００２４】
さらに、図８に、第三の発明による手すり取付用エンド・ブラケットの一例を分解して示す。図８から分かるように、このエンド・ブラケットＡは、直角方向に折曲する円弧状に彎曲させてあって、ビスなどの定着手段Ｅで廊下や階段の壁に取り付けるための取付座2bを有するブラケット本体２と、手すりＢの端部を保持するためのものであって、ブラケット本体２に対して４５度で交差するように折曲した受体１とからなり、前記ブラケット本体２への受体１の取付位置を定めるための凹凸嵌合手段を、受体１とブラケット２に形成したものである。いわゆる半固定型である。
【００２５】
受体１部分および受体１はいずれも筒状であって、図２、図６、図９に示すように、その一端には手すりＢの端部を嵌入してそれを保持するための保持部1aが備えられている。
ここに例示する受体１部分および受体１は、その直径方向の対向外周面のうち片方1cのみがブラケット本体２部分およびブラケット本体２に対して４５度で交差する円弧状に彎曲しており、他方の対向外周面1dには彎曲面を備えていない。
【００２６】
一方、ブラケット本体２部分およびブラケット本体２は、図１、図４、図８に示すように、直角方向に折曲する円弧状に彎曲させてある。そして、図１に示す場合には、上述したように、その先端である前記取付座2bと反対側の位置に、手すりＢの端部を保持するための受体１部分を前記ブラケット本体２部分に対して４５度で交差する円弧状に彎曲させて一体的ならしめてある（一体型）。また、図４に示す場合には、図５に示すように、前記受体１の端部を嵌着するための嵌合部2aが形成されている。また、図８に示す場合にも、図５に示す場合と同じように、前記受体１の端部を嵌着するための嵌合部2aが形成されているが、図示は省略する。そして、図８に示す場合には、ブラケット本体２への受体１の取付位置を定めるための凹凸嵌合手段である孔2gが形成されている。
【００２７】
また、ブラケット本体２部分の他端側およびブラケット本体２の他端側には、いずれの場合も、ビスなどの定着手段Ｅをねじ込んで被取付物に取り付けるための取付座2bが備えられている。なお、図１、図２、図４〜図６、図８、図９に示すように、この取付座2bにはビスなどの定着手段Ｅをねじ込むことができるねじ孔2cが複数個形成されている。
そして、ブラケット本体２部分の先側である前記取付座2bと反対側の位置およびブラケット本体２の先側である前記取付座2bと反対側の位置と前記取付座2bとの間であるブラケットのほとんどの部分は、筒状の外半分を切り欠いてあり、この切り欠かれた部分は着脱自在のカバー３で覆い隠すことができるようにしてある。このカバー３は、ブラケット本体２部分およびブラケット本体２を被取付物に定着するのに用いた定着手段Ｅを覆い隠すとともに、筒状の外半分を切り欠いた部分に被せて筒状の支持腕とするのに用いられる。
【００２８】
図４に示すエンド・ブラケット（首振り型）の受体１には、ブラケット本体２の嵌合部2aに嵌入させ得る環状段部1bが備えられている。また、図８に示すエンド・ブラケット（半固定型）の受体１にも、ブラケット本体２の嵌合部2aに嵌入させ得る環状段部1bが備えられている。そして、図８に示すエンド・ブラケット（半固定型）における受体１には、ブラケット本体２に形成されている孔2gに嵌入させ得る爪1fが環状段部1bから突出させてある。この爪1fは、ブラケット本体２への受体１の取付位置を定めるための凹凸嵌合手段である孔2gに対向する位置に設けられ、相手側の凹凸嵌合手段となるものである。なお、受体１とブラケット本体２とに形成されている前記嵌合部2aと環状段部1b、前記孔2gと爪1fの取付位置を、図面に示す場合と逆にしてもよい。
【００２９】
前記カバー３の一端における径方向の両端部分には、図１２に示すように、ブラケット本体２の径方向の両端部分に形成されている嵌入溝2d，2dに嵌入させ得る爪3a，3aが、また、このカバー３の他端側には、前記取付座2bに形成されている嵌入孔2eに嵌入させ得る爪3bが形成されており、それらを嵌入溝2d，2d、嵌入孔2eに嵌入することにより、カバー３をブラケット本体２の筒状の外半分を切り欠いた部分に嵌着できる。
【００３０】
前記受体１部分とブラケット本体２部分が一体型のエンド・ブラケットおよび２部材である受体１とブラケット本体２は、通常ダイキャスト製、カバー３は合成樹脂製である。ただし、強度的に問題がなければ、受体１部分とブラケット本体２部分が一体型のエンド・ブラケットおよび２部材である受体１とブラケット本体２もカバー３と同じ合成樹脂製とすることができる。なお、カバー３はそれぞれの場合（一体型、首振り型、半固定型）のブラケット本体２部分およびブラケット本体２にいずれの場合にも用いることができるように、共通性を持たせておくと都合がよい。
【００３１】
図１に示すエンド・ブラケット（一体型）の場合には、図２に示すように、受体１部分がブラケット本体２部分に対して４５度で交差する円弧状に彎曲している。この受体１部分の保持部1a内の奥壁2hには、手すりＢにねじ込むネジ４挿通用の孔2fが形成されている。この孔2fの方向は、これに挿通させることによって手すりＢにねじ込んだネジ４が手すりＢの長手方向を向く方向である。そして、この孔2fにネジ４を挿通してその先側を、図２において鎖線で示すように、保持部1a側に延び出させることにより、ネジ４は手すりＢの長手方向を向き、受体１部分の保持部1aに嵌入されている手すりＢの右側の端部をより強固に固定できる。
図１に示すものと左右対称的なものを作製すれば、それを左側用のものとして用いることができ、受体１部分の保持部1aに嵌入されている手すりＢの左側の端部を固定できる。
【００３２】
このエンド・ブラケット（一体型）を用いて手すりＢを取り付けた場合には、図１３におけるθ（取付位置を通る水平線に対するブラケット本体２の傾斜角）とＴ（ブラケット本体２の取付位置を通る水平線から手すりＢの設置点までの距離、すなわち、手すりＢの設置高さ）並びに図１４におけるＴ'（取付面からの距離、すなわち、平行度）が定まるから、図３及び図１３に示すように、ブラケット本体２部分の取付座2bを前記手すりプレートＤと対面させることができ、その取付座2bにビスなどの定着手段Ｅを差し込んで手すりプレートＤに定着できる。
【００３３】
また、図４に示すエンド・ブラケット（首振り型）の場合には、ブラケット本体２に対して４５度で交差するように折曲した受体１の環状段部1bを直角方向に折曲する円弧状に彎曲させてあるブラケット本体２の嵌合部2aに嵌合させて用いるが、前記環状段部1bは前記嵌合部2aに対して回動自在である。従って、受体１の環状段部1bをブラケット本体２の嵌合部2aに嵌合させたまま自由に首を振ることができる。
そして、ブラケット本体２の嵌合部2aの壁には、手すりＢにねじ込むネジ４挿通用の孔2fが形成されている。この孔2fにネジ４を挿通してその先側を、図６において鎖線で示すように、ブラケット本体２の嵌合部2aに嵌合させた受体１の環状段部1bの筒内から保持部1a側に延び出させることにより、受体１の保持部1aに嵌入されている手すりＢの端部を固定できるとともに、受体１とブラケット本体２とを結合できる。
【００３４】
図６に示す場合とは異なり、図７に示す場合にも、ブラケット本体２に対して４５度で交差するように折曲した受体１を直角方向に折曲する円弧状に彎曲させてあるブラケット本体２に回動自在に嵌合させることができる。
図７に示すエンド・ブラケットが図４〜図６に示すものと異なるところは、受体１側の環状段部1bの筒端面が開口しているか否か、受体１とブラケット本体２とが直接結合されているか否か、ブラケット本体２側の嵌合部2aの壁に手すりＢにねじ込むネジ４挿通用の孔2fが形成されているか否か、この孔2fに代わるものとして手すりＢにねじ込むネジ５挿通用の孔1eが受体１側に形成されているか否かの点のみであって、それら以外に異なるところはなく、また、使用態様も図４〜図６に示すものと実質的には変わるところがない。
【００３５】
図７に示す場合においては、受体１側の環状段部1bの筒端壁とこの部分が嵌合されているブラケット本体２の嵌合部2aの端壁とにわたってセンターピン６を取り付けてあって、このセンターピン６で受体１とブラケット本体２とが直接結合されている。
この場合においても、受体１がブラケット本体２に対して回動自在に嵌合せしめられ、図４〜図６に示すものと同様の使用が可能である。なお、この場合においては、手すりＢにねじ込むネジ５挿通用の孔1eが受体１側に形成されており、この孔1eにネジ５を挿通してその先側を、図７において鎖線で示すように、受体１の保持部1a側に延び出させることにより、受体１の保持部1aに嵌入されている手すりＢの端部を固定できる。
【００３６】
図４〜図７に示すエンド・ブラケット（首振り型）を用いて手すりＢを取り付けた場合には、手すりＢの端部を保持している受体１を回動させて受体１とブラケット本体２との嵌合位置を調整することにより、図１３におけるθ（取付位置を通る水平線に対するブラケット本体２の傾斜角）とＴ（ブラケット本体２の取付位置を通る水平線から手すりＢの設置点までの距離、すなわち、手すりＢの設置高さ）並びに図１４におけるＴ'（取付面からの距離、すなわち、平行度）が定まるから、図３及び図１３に示す場合と同様に、ブラケット本体２の取付座2bを前記手すりプレートＤと対面させることができ、その取付座2bにビスなどの定着手段Ｅを差し込んで手すりプレートＤに定着できる。
【００３７】
また、図８に示すエンド・ブラケット（半固定型）の場合にも、ブラケット本体２に対して４５度で交差するように折曲した受体１の環状段部1bを直角方向に折曲する円弧状に彎曲させてあるブラケット本体２の嵌合部2aに嵌合させて用いる。そして、環状段部1bから突出させてある爪1fをブラケット本体２の孔2gに嵌入する。凹凸嵌合手段である爪1fと孔2gの係合位置は、受体１とブラケット本体２の直径方向の対称位置である二箇所である。すなわち、受体１を図８に示す状態のままで受体１の爪1fをブラケット本体２の孔2gに嵌入する場合と、図８に示す受体１をブラケット本体２に対して１８０度回動させ、その状態において受体１の爪1fをブラケット本体２の孔2gに嵌入する場合である。
この二通りの凹凸嵌合により、ブラケット本体２への受体１の取付状態は、図１１の左側と右側とに示すように、左右対称的となる。
【００３８】
そして、前記凹凸嵌合手段で受体１と係合するブラケット本体２の嵌合部2aの壁には、手すりＢにねじ込むネジ４挿通用の孔2fが形成されている。この孔2fの方向は、これに挿通させることによって手すりＢにねじ込んだネジ４が手すりＢの長手方向を向く方向であり、上述したように右側用と左側用とに兼用できるように、孔2fも対称的に２個形成されている（図９、図１０参照）。なお、図１０は、図９のＸ−Ｘ線に沿う断面図である。
右側用の場合には、図９の上側に現れる孔2fにネジ４を挿通してその先側を、図９において鎖線で示すように、ブラケット本体２の奥壁2hから受体１の保持部1a側に延び出させることにより、受体１の保持部1aに嵌入されている手すりＢの端部を固定できるとともに、受体１とブラケット本体２とを結合できる。
【００３９】
そして、前記凹凸嵌合により、受体１がブラケット本体２に所定角度首を振った状態で取り付けられ、図１３におけるθ（取付位置を通る水平線に対するブラケット本体２の傾斜角）とＴ（ブラケット本体２の取付位置を通る水平線から手すりＢの設置点までの距離、すなわち、手すりＢの設置高さ）並びに図１４におけるＴ'（取付面からの距離、すなわち、平行度）が定まる。従って、図１１、図１３に示すように、ブラケット本体２の取付座2bを前記手すりプレートＤと対面させることができ、その取付座2bにビスなどの定着手段Ｅを差し込んで手すりプレートＤに定着できる。
【００４０】
次に、石膏ボードＦからなる壁Ｃに手すりプレートＤが取り付けられている場合を例に挙げて、図１、図２に示すエンド・ブラケット（一体型）と、図４〜図７に示すエンド・ブラケット（首振り型）と、図８、図９に示すエンド・ブラケット（半固定型）の使用方法を、図１３及び図１４に基いて説明する。
従来の場合と同様に、この手すりプレートＤに手すり支持用のブラケットＨが取り付けられる。そして、上述した  それぞれのエンド・ブラケットＡを手すりプレートＤに取り付け、このエンド・ブラケットＡで手すりＢの端部を保持することができる。
【００４１】
いずれの場合においても、前記手すりプレートＤに取り付けられているブラケットＨで手すりＢの途中が支えられている。そして、この手すりＢの端部をそれぞれのエンド・ブラケットＡの一部品である受体１の保持部1aに嵌入する。
図１、図２に示すエンド・ブラケット（一体型）の場合には、手すりＢの端部を保持している受体１部分がブラケット本体２部分に対して４５度で交差する状態で一体化されているから、その状態においてブラケット本体２部分の取付座2bを前記手すりプレートＤと対面させることができ、その取付座2bに形成されているねじ孔2cにビスなどの定着手段Ｅを差し込んで手すりプレートＤにねじ込んでこれに定着できる。
【００４２】
一方、図４〜図７に示すエンド・ブラケット（首振り型）においては、受体１の保持部1aは、これが嵌入されているブラケット本体２の嵌合部2aの軸芯に対して回動自在であるから、手すりＢの端部を保持している受体１の保持部1aを回動させて受体１とブラケット本体２との嵌合位置を調整することによって、ブラケット本体２の取付座2bを前記手すりプレートＤと対面させることができ、その取付座2bに形成されているねじ孔2cにビスなどの定着手段Ｅを差し込んで手すりプレートＤにねじ込んでこれに定着できる。
【００４３】
また、図８、図９に示すエンド・ブラケット（半固定型）の場合には、凹凸嵌合手段である受体１の爪1f，1fが相手側であるブラケット本体２の凹凸嵌合手段である孔2g，2gに嵌入させることにより、ブラケット本体２の取付座2bを前記手すりプレートＤと対面させることができ、その取付座2bに形成されているねじ孔2cにビスなどの定着手段Ｅを差し込んで手すりプレートＤにねじ込んでこれに定着できる。
【００４４】
ここに例示した受体１部分および受体１は、いずれもその直径方向の対向外周面のうち片方1cのみがブラケット本体２部分およびブラケット本体２に対して４５度で交差する円弧状に彎曲しており、他方の対向外周面1dには彎曲面を備えていない。このような形状をしている場合には、受体１とブラケット本体２との嵌合位置を調整することによって、図１３に示すように、手すりプレートＤに取り付けた手すり支持用のブラケットＨと同一高さの水平延長線上にブラケット本体２の取付座2bを位置させることができる。従って、手すりＢを下から支える形で手すりプレートＤにビスなどの定着手段Ｅで定着できる。
【００４５】
図面には示さないが、手すりプレートＤを用いない場合であって、ビスなどの定着手段で固定できる壁に手すりを直接取り付ける場合においても、受体１とブラケット本体２との嵌合位置を調整することによって、ブラケット本体２の取付座2bをその壁に対面させることができ、その取付座2bにビスなどの定着手段を差し込んでその壁に直接定着することもできる。
【００４６】
なお、取付座2bのねじ孔2cにビスなどの定着手段Ｅを差し込んで被取付物に本エンド・ブラケットＡを定着するに当っては、カバー３をブラケット本体２から外して行うことができるから、きわめて作業しやすい。そして、定着後、カバー３に形成されている爪3a，3aをブラケット本体の嵌合部2a側に形成されている嵌入溝2d，2dに嵌入し、また、このカバー３の他端側に形成されている爪3bを前記取付座2bに形成されている嵌入孔2eに嵌入することにより、カバー３をブラケット本体２の筒状の外半分を切り欠いた部分に嵌着できる。従って、取付座2bのねじ孔2cに差し込んで被取付物に本エンド・ブラケットＡを定着するのに用いたビスなどの定着手段Ｅが見えないようにすることができ、取付後の体裁もよい。
【００４７】
図１、図２に示すエンド・ブラケット（一体型）の場合には、手すりＢの端部を保持している受体１部分がブラケット本体２部分に対して４５度で交差する状態で一体化されている。従って、図１、図２に示すものは、右側用のものとして特定され、左側用のものは別途作製しなければならないが、右側用のものと左右対称的なものを作製するだけで、左側用のものとなる。従って、図３に示すように、左側用のエンド・ブラケットＡを左側に、また、右側用のエンド・ブラケットＡを右側に位置させることにより、上述したように手すりプレートＤもしくは壁に直接定着できる。
【００４８】
一方、図４〜図７に示すエンド・ブラケット（首振り型）において、受体１の保持部1aは、これが嵌入されているブラケット本体２の嵌合部2aの軸芯に対して回動自在であるから、手すりＢの端部を嵌着してこれを保持する受体１を上下逆にしないで左側用のものと右側用のものとして、また、それに応じてそれを嵌着させ得るブラケット本体２も上下逆にしないで左側用のものと右側用のものとしてそれぞれを用いることができる。  従って、左側用の受体１に対しては、そのように位置させた受体１を左側用として位置させたブラケット本体２に、また、右側用の受体１に対しては、そのように位置させた受体１を右側用として位置させたブラケット本体２にそれぞれ嵌合させ、上述したように手すりプレートＤもしくは壁に直接定着できる。
【００４９】
また、図８、図９に示すエンド・ブラケット（半固定型）の場合には、例えば、図８に示す受体１をブラケット本体２に対して１８０度回動させると、受体１とブラケット本体２との接合面の対称位置にある凹凸嵌合手段と相手側の凹凸嵌合手段とを嵌合させることができるから、ブラケット本体２への受体１の取付状態が受体１を回動させない状態でブラケット本体２に取り付けた場合とは左右対称的となる。従って、一つのものを左側用としても、右側用としても用いることができ、いわゆる、左右兼用することができる。
【００５０】
このように、図４〜図７に示すエンド・ブラケット（首振り型）の場合と、図８、図９に示すエンド・ブラケット（半固定型）の場合には、手すりＢの端部を嵌着してこれを保持する受体１を上下逆にしないで左側用のものと右側用のものとして、また、それに応じてそれを取り付け得るブラケット本体２も上下逆にしないで左側用のものと右側用のものとしてそれぞれを用いることができる。従って、左側用の受体１に対しては、そのように位置させた受体１を左側用として位置させたブラケット本体２に、また、右側用の受体１に対しては、そのように位置させた受体１を右側用として位置させたブラケット本体２にそれぞれ取り付け、上述したように手すりプレートＤもしくは壁に直接定着できる。
【００５１】
なお、図１〜図４、図６〜図９、図１１において、図面符号2iは、ブラケット本体２の取付座2bの面からわずかに突出させた墨出しと称する印で、この印が取付座2bに形成されていることにより、図３及び図１１に示すように、ブラケット本体２部分およびブラケット本体２が被取付物に対して真直ぐ取り付けられているか否かが分かる。
【００５２】
【発明の効果】
請求項１記載の発明によれば、ブラケット本体２部分に対する受体１部分の折曲角度を４５度に設定することによって、手すりプレートＤがある場合には、その手すりプレートＤに本エンド・ブラケットを、また、手すりプレートＤを用いない場合でも、ビスなどの定着手段で固定できる壁に本エンド・ブラケットを直接取り付けることができるから、いかなる場合でも手すりＢを容易かつ支障なく被取付物に取り付けることができるという利点を有する。
【００５３】
請求項２記載の発明によれば、ブラケット本体２部分に対する受体１部分の折曲角度を４５度に設定することによって、手すりプレートＤに取り付けた手すり支持用のブラケットＨと同一高さの水平延長線上にブラケット本体２の取付座2bを位置させることができるから、手すりＢを下から支える形で手すりプレートＤに定着できるという利点を有する。
【００５４】
請求項３記載の発明によれば、ネジ挿通用の孔から手すりＢにねじ込んだネジが手すりＢの長手方向を向くから、このネジで手すりＢの端部をより強固に固定できるという利点を有する。
【００５５】
請求項４記載の発明によれば、受体１とブラケット本体２との嵌合位置を調整することによって、手すりプレートＤがある場合には、その手すりプレートＤに本エンド・ブラケットを、また、手すりプレートＤを用いない場合でも、ビスなどの定着手段で固定できる壁に本エンド・ブラケットを直接取り付けることができるから、いかなる場合でも手すりＢを容易かつ支障なく被取付物に取り付けることができるという利点を有する。
【００５６】
請求項５記載の発明によれば、ブラケット本体２に対する受体１の首振り角度を調整することによって、手すりプレートＤがある場合には、その手すりプレートＤに本エンド・ブラケットを、また、手すりプレートＤを用いない場合でも、ビスなどの定着手段で固定できる壁に本エンド・ブラケットを直接取り付けることができるから、いかなる場合でも手すりＢを容易かつ支障なく被取付物に取り付けることができるという利点を有する。特に、凹凸嵌合手段により前記ブラケット本体２への受体１の取付位置が予め定まるから、極めて施工しやすくなるという特長を有する。
【００５７】
一方、請求項４記載の発明においては、受体１とブラケット本体２との嵌合位置を調整することにより、また、請求項６記載の発明においては、受体１をブラケット本体２に対して１８０度右方向あるいは左方向に回動させることにより、いずれも左右兼用することができるから、手すりＢの端部を嵌着してこれを保持する受体１を上下逆にしないで左側用のものと右側用のものとして、また、それに応じてそれを嵌着させ得るブラケット本体２も上下逆にしないで左側用のものと右側用のものとしてそれぞれを用いることができるから、左側用の受体１に対しては、そのように位置させた受体１を左側用として位置させたブラケット本体２に、また、右側用の受体１に対しては、そのように位置させた受体１を右側用として位置させたブラケット本体２にそれぞれ嵌合させ、手すりプレートＤもしくは壁に直接定着できるという利点を有する。
【００５８】
請求項７記載の発明によれば、ブラケット本体２への受体１の取付位置を調整することによって、手すりプレートＤに取り付けた手すり支持用のブラケットＨと同一高さの水平延長線上にブラケット本体２の取付座2bを位置させることができるから、手すりＢを下から支える形で手すりプレートＤに定着できるという利点を有する。
【００５９】
請求項８記載の発明によれば、ネジ挿通用の孔から手すりＢにねじ込んだネジが手すりＢの長手方向を向くから、このネジで手すりＢの端部をより強固に固定できるという利点を有する。
【図面の簡単な説明】
【図１】第一の発明による手すり取付用エンド・ブラケットの一例を示す分解斜視図である。
【図２】図１に示す手すり取付用エンド・ブラケットの一部切欠の正面図である。
【図３】図１に示す手すり取付用エンド・ブラケット並びにそれと左右対称的な手すり取付用エンド・ブラケットの使用状態の一例を示す斜視図で、いずれもカバーを外した状態で示す。
【図４】第二の発明による手すり取付用エンド・ブラケットの一例を示す分解斜視図である。
【図５】図４に示す手すり取付用エンド・ブラケットの一部品であるブラケット本体のみの斜視図である。
【図６】図５に示す手すり取付用エンド・ブラケットの一部切欠の正面図である。
【図７】第二の発明による手すり取付用エンド・ブラケットの他の例を示す一部切欠の正面図である。
【図８】第三の発明による手すり取付用エンド・ブラケットの一例を示す分解斜視図である。
【図９】図８に示す手すり取付用エンド・ブラケットの一部切欠の正面図である。
【図１０】図９のＸ−Ｘ線断面図である。
【図１１】図８に示す手すり取付用エンド・ブラケットの使用状態の一例を示す斜視図で、いずれもカバーを外した状態で示す。
【図１２】第一、第二、第三の発明による手すり取付用エンド・ブラケットのいずれにも用いることができるカバーのみの斜視図である。
【図１３】第一、第二、第三の発明による手すり取付用エンド・ブラケットの使用状態の一
例を示す概略正面図である。
【図１４】第一、第二、第三の発明による手すり取付用エンド・ブラケットの使用状態の一例を示す概略横断面図である。
【図１５】従来の手すり取付用エンド・ブラケットの一例を示す一部切欠の平面図である。
【図１６】従来の手すり取付用エンド・ブラケットの使用状態の一例を示す正面図である。
【図１７】従来の手すり取付用エンド・ブラケットの使用状態の一例を示す横断面図である。
【符号の説明】
１…受体、1a…保持部、1b…環状段部、1f…爪、２…ブラケット本体、2a…嵌合部、2b…取付座、2f…孔、2g…孔、2h…奥壁、３…カバー、Ａ…エンド・ブラケット、Ｂ…手すり、Ｃ…壁、Ｄ…手すりプレート、Ｅ…定着手段、Ｆ…石膏ボード、Ｇ…柱、Ｈ…手すり支持用のブラケット。
【図１】
0003896304.tif 000002
【図２】
0003896304.tif 000003
【図３】
0003896304.tif 000004
【図４】
0003896304.tif 000005
【図５】
0003896304.tif 000006
【図６】
0003896304.tif 000007
【図７】
0003896304.tif 000008
【図８】
0003896304.tif 000009
【図９】
0003896304.tif 000010
【図１０】
0003896304.tif 000011
【図１１】
0003896304.tif 000012
【図１２】
0003896304.tif 000013
【図１３】
0003896304.tif 000014
【図１４】
0003896304.tif 000015
【図１５】
0003896304.tif 000016
【図１６】
0003896304.tif 000017
【図１７】
0003896304.tif 000018